(57)【要約】【課題】より早く電池パックの使用の可否を判定することができる電動工具システムを提供する。【解決手段】電池パック１２は、電動工具本体１１及び充電器１３と通信可能な最小単位の識別情報が記憶される記憶部３３を有する。電動工具本体１１は、使用可能な電池パック１２の識別情報が予め記憶される記憶部２４と、記憶部３３に記憶された識別情報が記憶部２４に記憶された識別情報と一致するか否かを判定する制御部２３とを有する。充電器１３は、使用可能な電池パック１２の識別情報が予め記憶される記憶部４３と、記憶部３３に記憶された識別情報が記憶部４３に記憶された識別情報と一致するか否かを判定する制御部４２とを有する。【選択図】図１
2016168634.tif 000002
【特許請求の範囲】
【請求項１】
電池パックと、該電池パックと接続可能な充電器及び電動工具本体の各機器とを備えた電動工具システムであって、
前記電池パックは、前記各機器と通信可能な最小単位の識別情報が記憶される電池パック側記憶部を有し、前記各機器は使用可能な電池パックの識別情報が予め記憶される機器側記憶部を有し、
前記各機器の両方又は前記電池パックには、前記電池パック側記憶部に記憶された前記識別情報が前記機器側記憶部に記憶された識別情報と一致するか否かを判定する判定部を備えたことを特徴とする電動工具システム。
【請求項２】
請求項１に記載の電動工具システムにおいて、
前記充電器又は前記電池パックは、前記判定部によって前記電池パック側記憶部に記憶された前記識別情報が前記機器側記憶部に記憶された識別情報と一致すると判定された際に、前記電池パックへの充電を許可する充電許可部を備えたことを特徴とする電動工具システム。
【請求項３】
請求項１又は２に記載の電動工具システムにおいて、
前記電動工具本体又は前記電池パックは、前記判定部によって前記電池パック側記憶部に記憶された前記識別情報が前記電動工具本体の前記機器側記憶部に記憶された識別情報と一致すると判定された際に、前記電動工具本体への給電を許可する給電許可部を備えたことを特徴とする電動工具システム。
【発明の詳細な説明】
【技術分野】
【０００１】
本発明は、電動工具システムに関するものである。
【背景技術】
【０００２】
従来、電動工具システムとして、電池パックの記憶部（メモリ）に記憶された電池パックの定格出力電圧と定格容量の情報を読み込んで装着された電池パックが電動工具本体で使用可能か否かを判定するものが知られている（例えば、特許文献１参照）。
【先行技術文献】
【特許文献】
【０００３】
【特許文献１】特開２０１１−２０１００５号公報
【発明の概要】
【発明が解決しようとする課題】
【０００４】
ところで、上記のような電動工具システムでは、電池パックの記憶部（メモリ）に記憶された電池パックの定格出力電圧と定格容量の情報を読み込んで装着された電池パックが使用可能か否かを判定している。このような電動工具システムでは、電池パックの電圧と定格容量の２つの情報から適合か否かを判定しているため、判定するために時間を要する虞があった。
【０００５】
また、例えば充電器から電池パックに対して充電を行なう電動工具システムにおいても電池パックと充電器との間で充電が可能（使用可能）か否かを判定することが考えられる。この場合であっても判定の時間を短くすることが望まれる。
【０００６】
本発明は、上記課題を解決するためになされたものであって、その目的は、より早く電池パックの使用の可否を判定することができる電動工具システムを提供することにある。
【課題を解決するための手段】
【０００７】
上記課題を解決するために、電動工具システムは、電池パックと、該電池パックと接続可能な充電器及び電動工具本体の各機器とを備えた電動工具システムであって、前記電池パックは、前記各機器と通信可能な最小単位の識別情報が記憶される電池パック側記憶部を有し、前記各機器は使用可能な電池パックの識別情報が予め記憶される機器側記憶部を有し、前記各機器の両方又は前記電池パックには、前記電池パック側記憶部に記憶された前記識別情報が前記機器側記憶部に記憶された識別情報と一致するか否かを判定する判定部を備えたことを特徴とする。
【発明の効果】
【０００８】
本発明の電動工具システムによれば、より早く電池パックの使用の可否を判定することができる。
【図面の簡単な説明】
【０００９】
【図１】実施形態における電動工具システムの概略構成を示すブロック図である。
【図２】同上における電動工具の側面図である。
【図３】同上における電動工具システムの電動工具本体と電池パックとの適合及び充電器と電池パックとの適合について説明するための説明図である。
【発明を実施するための形態】
【００１０】
以下、電動工具システムの一実施形態を図面に従って説明する。
図１に示すように、電動工具システムは、電動工具本体１１と電池パック１２とを有する電動工具１０と、電池パック１２に対して充電を実施する充電器１３とを備える。
【００１１】
図２に示すように、電動工具本体１１の外郭を形成するハウジング１４は、筒形状をなす胴部１５と、胴部１５の前後方向（長手方向）の途中から下方に延出する把持部１６とを有している。把持部１６の下側には、電池パック１２を装着するための電池パック装着部１７が設けられている。
【００１２】
ハウジング１４の胴部１５内部には、モータ２０と、モータ２０と駆動連結される減速機を有する動力伝達部２１が設けられている。動力伝達部２１はその先端部に設けたビット装着部２２と接続されている。ビット装着部２２は、図示略の種々のビット（先端工具）が装着される。これにより、モータ２０の回転駆動力が動力伝達部２１を介して前記ビットに伝達されるようになっている。
【００１３】
図１に示すように、電動工具本体１１は、モータ２０の回転を制御する制御部２３と、各種の設定情報が記憶される記憶部２４とを有する。記憶部２４は、例えば適合する電池パック１２の識別情報Ｍ２が記憶されている。記憶部２４に記憶される識別情報Ｍ２は、１種類の電池パック１２の識別情報Ｍ１又は種類の異なる複数の電池パック１２の識別情報Ｍ１の集合を指している。つまり、電動工具本体１１において、１種類の電池パック１２にのみ対応する構成の場合には、識別情報Ｍ２として１つの識別情報Ｍ１のみが記憶部２４に予め記憶される。一方、電動工具本体１１において、複数種類の電池パック１２に対応する構成の場合には、識別情報Ｍ２として内容の異なる複数の識別情報Ｍ１が記憶部２４に予め記憶される。
【００１４】
図２に示すように、電池パック１２は、電動工具本体１１の電池パック装着部１７に取付（接続）可能とされている。
図１に示すように、電池パック１２は、１又は複数のセルからなる二次電池３１と、二次電池３１の充電及び給電を制御する制御部３２と、各種の設定情報が記憶される記憶部３３とを有する。
【００１５】
記憶部３３は、識別情報Ｍ１が予め記憶されている。識別情報Ｍ１は、電動工具本体１１又は充電器１３に接続された際に、接続された機器（電動工具本体１１又は充電器１３）と適合するかどうか判定するために用いるものである。この識別情報Ｍ１は、通信可能な最小単位で記憶されている。具体的には、通信を行なう際の最小単位のデータサイズ（１ニブル＝４ビット）で記憶されている。これにより、識別情報Ｍ１として最大で１６種類の設定が可能となっている。
【００１６】
図１に示すように、充電器１３は、電池パック１２の二次電池３１の充電を行う充電部４１と、充電部４１を制御する制御部４２と、各種の設定情報が記憶される記憶部４３とを有する。
【００１７】
記憶部４３は、例えば適合する電池パック１２の識別情報Ｍ３が記憶されている。記憶部４３に記憶される識別情報Ｍ３は、１種類の電池パック１２の識別情報Ｍ１又は種類の異なる複数の電池パック１２の識別情報Ｍ１の集合を指している。つまり、充電器１３において、１種類の電池パック１２にのみ対応する構成の場合には、識別情報Ｍ３として１つの識別情報Ｍ１のみが記憶部４３に予め記憶される。一方、充電器１３において複数種類の電池パック１２に対応する構成の場合には、識別情報Ｍ３として内容の異なる複数の識別情報Ｍ１が記憶部４３に予め記憶される。
【００１８】
上記のように構成された電動工具システムでは、各識別情報Ｍ１，Ｍ２，Ｍ３を用いて電動工具本体１１と電池パック１２との間、及び充電器１３と電池パック１２との間において適合か否かが判定されるようになっている。以下に、主に図１及び図３を用いながら電動工具本体１１と電池パック１２との間での適合判定と充電器１３と電池パック１２との間での適合判定について説明する。なお、図３で示す電動工具システムでは、３つの電動工具本体１１と、２つの電池パック１２と、２つの充電器１３とを用いてそれぞれの適合について説明する。また、３つの電動工具本体１１は、説明の都合上、電動工具本体１１Ａ、電動工具本体１１Ｂ、電動工具本体１１Ｃとして、それぞれ個別の符号を用いて区別することとする。同様に、２つの電池パック１２は、説明の都合上、電池パック１２Ａ、電池パック１２Ｂとして、それぞれ個別の符号を用いて区別することとする。また、２つの充電器１３は、説明の都合上、充電器１３Ａ、充電器１３Ｂとして、それぞれ個別の符号を用いて区別することとする。
【００１９】
図３に示すように、電動工具本体１１Ａには、識別情報Ｍ２として“１”のみが記憶されている。電動工具本体１１Ｂには、識別情報Ｍ２として“２”のみが記憶されている。電動工具本体１１Ｃには、識別情報Ｍ２として“１”及び“２”が記憶されている。
【００２０】
図３に示すように、電池パック１２Ａには、識別情報Ｍ１として“１”のみが記憶されている。電池パック１２Ｂには、識別情報Ｍ１として“２”のみが記憶されている。
図３に示すように、充電器１３Ａには、識別情報Ｍ３として“１”及び“２”が記憶されている。充電器１３Ｂには、識別情報Ｍ３として“１”のみが記憶されている。
【００２１】
［電動工具本体１１Ａと電池パック１２Ａの適合判定］
図１及び図３に示すように、電動工具本体１１Ａに対して電池パック１２Ａが装着されると、電動工具本体１１Ａの制御部２３は、制御部３２を介して電池パック１２Ａ内の記憶部３３から電池パック１２Ａに設定された識別情報Ｍ１（“１”）を読み取る。そして、電動工具本体１１Ａの制御部３２は、識別情報Ｍ１と電動工具本体１１Ａ内の記憶部２４に記憶された識別情報Ｍ２（“１”）とを比較して、電動工具本体１１Ａと電池パック１２Ａとが適合するか否かを判定する。ここで、電池パック１２Ａに設定された識別情報Ｍ１は“１”であり、電動工具本体１１Ａに設定された識別情報Ｍ２は“１”であるため、制御部３２は電動工具本体１１Ａと電池パック１２Ａとが適合すると判定する。これにより、制御部３２は、電池パック１２Ａから電動工具本体１１への給電を許可する給電許可機能が作用する。
【００２２】
［電動工具本体１１Ａと電池パック１２Ｂの適合判定］
図１及び図３に示すように、電動工具本体１１Ａに対して電池パック１２Ｂが装着されると、電動工具本体１１Ａの制御部２３は、制御部３２を介して電池パック１２Ｂ内の記憶部３３から電池パック１２Ｂに設定された識別情報Ｍ１（“２”）を読み取る。そして、電動工具本体１１Ａの制御部３２は、識別情報Ｍ１と電動工具本体１１Ａ内の記憶部２４に記憶された識別情報Ｍ２（“１”）とを比較して、電動工具本体１１Ａと電池パック１２Ｂとが適合するか否かを判定する。ここで、電池パック１２Ｂに設定された識別情報Ｍ１は“２”であり、電動工具本体１１Ａに設定された識別情報Ｍ２は“１”であるため、制御部３２は電動工具本体１１Ａと電池パック１２Ｂとが適合しないと判定する。このため、制御部３２は、電池パック１２Ｂから電動工具本体１１Ａへの給電を許可しないようになっている。
【００２３】
［電動工具本体１１Ｂと電池パック１２Ａの適合判定］
図１及び図３に示すように、電動工具本体１１Ｂに対して電池パック１２Ａが装着されると、電動工具本体１１Ｂの制御部２３は、制御部３２を介して電池パック１２Ａ内の記憶部３３から電池パック１２Ａに設定された識別情報Ｍ１（“１”）を読み取る。そして、電動工具本体１１Ｂの制御部３２は、識別情報Ｍ１と電動工具本体１１Ｂ内の記憶部２４に記憶された識別情報Ｍ２（“２”）とを比較して、電動工具本体１１Ｂと電池パック１２Ａとが適合するか否かを判定する。ここで、電池パック１２Ａに設定された識別情報Ｍ１は“１”であり、電動工具本体１１Ｂに設定された識別情報Ｍ２は“２”であるため、制御部３２は電動工具本体１１Ｂと電池パック１２Ａとが適合しないと判定する。このため、制御部３２は、電池パック１２Ａから電動工具本体１１Ｂへの給電を許可しないようになっている。
【００２４】
［電動工具本体１１Ｂと電池パック１２Ｂの適合判定］
図１及び図３に示すように、電動工具本体１１Ｂに対して電池パック１２Ｂが装着されると、電動工具本体１１Ｂの制御部２３は、制御部３２を介して電池パック１２Ｂ内の記憶部３３から電池パック１２Ｂに設定された識別情報Ｍ１（“２”）を読み取る。そして、電動工具本体１１Ｂの制御部３２は、識別情報Ｍ１と電動工具本体１１Ｂ内の記憶部２４に記憶された識別情報Ｍ２（“２”）とを比較して、電動工具本体１１Ｂと電池パック１２Ｂとが適合するか否かを判定する。ここで、電池パック１２Ｂに設定された識別情報Ｍ１は“２”であり、電動工具本体１１Ｂに設定された識別情報Ｍ２は“２”であるため、制御部３２は電動工具本体１１Ｂと電池パック１２Ｂとが適合すると判定する。これにより、制御部３２は、電池パック１２Ｂから電動工具本体１１Ｂへの給電を許可する給電許可機能が作用する。
【００２５】
［電動工具本体１１Ｃと電池パック１２Ａの適合判定］
図１及び図３に示すように、電動工具本体１１Ｃに対して電池パック１２Ａが装着されると、電動工具本体１１Ｃの制御部２３は、制御部３２を介して電池パック１２Ａ内の記憶部３３から電池パック１２Ａに設定された識別情報Ｍ１（“１”）を読み取る。そして、電動工具本体１１Ｃの制御部３２は、識別情報Ｍ１と電動工具本体１１Ｃ内の記憶部２４に記憶された識別情報Ｍ２（“１”及び“２”）とを比較して、電動工具本体１１Ｃと電池パック１２Ａとが適合するか否かを判定する。ここで、電池パック１２Ａに設定された識別情報Ｍ１は“１”であり、電動工具本体１１Ｃに設定された識別情報Ｍ２は“１”及び“２”である。つまり、識別情報Ｍ１が識別情報Ｍ２に含まれるため、制御部３２は電動工具本体１１Ｃと電池パック１２Ａとが適合すると判定する。これにより、制御部３２は、電池パック１２Ａから電動工具本体１１Ｃへの給電を許可する給電許可機能が作用する。
【００２６】
［電動工具本体１１Ｃと電池パック１２Ｂの適合判定］
図１及び図３に示すように、電動工具本体１１Ｃに対して電池パック１２Ｂが装着されると、電動工具本体１１Ｃの制御部２３は、制御部３２を介して電池パック１２Ｂ内の記憶部３３から電池パック１２Ｂに設定された識別情報Ｍ１（“２”）を読み取る。そして、電動工具本体１１Ｃの制御部３２は、識別情報Ｍ１と電動工具本体１１Ｃ内の記憶部２４に記憶された識別情報Ｍ２（“１”及び“２”）とを比較して、電動工具本体１１Ｃと電池パック１２Ｂとが適合するか否かを判定する。ここで、電池パック１２Ｂに設定された識別情報Ｍ１は“２”であり、電動工具本体１１Ｃに設定された識別情報Ｍ２は“１”及び“２”である。つまり、識別情報Ｍ１が識別情報Ｍ２に含まれるため、制御部３２は電動工具本体１１Ｃと電池パック１２Ｂとが適合すると判定する。これにより、制御部３２は、電池パック１２Ｂから電動工具本体１１Ｃへの給電を許可する給電許可機能が作用する。
【００２７】
［充電器１３Ａと電池パック１２Ａの適合判定］
図１及び図３に示すように、充電器１３Ａに対して電池パック１２Ａが装着されると、充電器１３Ａの制御部４２は、制御部３２を介して電池パック１２Ａ内の記憶部３３から電池パック１２Ａに設定された識別情報Ｍ１（“１”）を読み取る。そして、充電器１３Ａの制御部４２は、識別情報Ｍ１と充電器１３Ａ内の記憶部４３に記憶された識別情報Ｍ３（“１”及び“２”）とを比較して、充電器１３Ａと電池パック１２Ａとが適合するか否かを判定する。ここで、電池パック１２Ａに設定された識別情報Ｍ１は“１”であり、充電器１３Ａに設定された識別情報Ｍ３は“１”及び“２”である。つまり、識別情報Ｍ１が識別情報Ｍ３に含まれるため、制御部４２は充電器１３Ａと電池パック１２Ａとが適合すると判定する。これにより、制御部４２は、充電器１３Ａから電池パック１２Ａへの充電を許可する充電許可機能が作用する。
【００２８】
［充電器１３Ａと電池パック１２Ｂの適合判定］
図１及び図３に示すように、充電器１３Ａに対して電池パック１２Ｂが装着されると、充電器１３Ａの制御部４２は、制御部３２を介して電池パック１２Ｂ内の記憶部３３から電池パック１２Ｂに設定された識別情報Ｍ１（“２”）を読み取る。そして、充電器１３Ａの制御部４２は、識別情報Ｍ１と充電器１３Ａ内の記憶部４３に記憶された識別情報Ｍ３（“１”及び“２”）とを比較して、充電器１３Ａと電池パック１２Ｂとが適合するか否かを判定する。ここで、電池パック１２Ｂに設定された識別情報Ｍ１は“１”であり、充電器１３Ａに設定された識別情報Ｍ３は“１”及び“２”である。つまり、識別情報Ｍ１が識別情報Ｍ３に含まれるため、制御部４２は充電器１３Ａと電池パック１２Ｂとが適合すると判定する。これにより、制御部４２は、充電器１３Ａから電池パック１２Ｂへの充電を許可する充電許可機能が作用する。
【００２９】
［充電器１３Ｂと電池パック１２Ａの適合判定］
図１及び図３に示すように、充電器１３Ｂに対して電池パック１２Ａが装着されると、充電器１３Ｂの制御部４２は、制御部３２を介して電池パック１２Ａ内の記憶部３３から電池パック１２Ａに設定された識別情報Ｍ１（“１”）を読み取る。そして、充電器１３Ｂの制御部４２は、識別情報Ｍ１と充電器１３Ｂ内の記憶部４３に記憶された識別情報Ｍ３（“１”）とを比較して、充電器１３Ｂと電池パック１２Ａとが適合するか否かを判定する。ここで、電池パック１２Ａに設定された識別情報Ｍ１は“１”であり、充電器１３Ｂに設定された識別情報Ｍ３は“１”であるため、制御部４２は充電器１３Ｂと電池パック１２Ａとが適合すると判定する。これにより、制御部４２は、充電器１３Ｂから電池パック１２Ａへの充電を許可する充電許可機能が作用する。
【００３０】
［充電器１３Ｂと電池パック１２Ｂの適合判定］
図１及び図３に示すように、充電器１３Ｂに対して電池パック１２Ｂが装着されると、充電器１３Ｂの制御部４２は、制御部３２を介して電池パック１２Ｂ内の記憶部３３から電池パック１２Ｂに設定された識別情報Ｍ１（“２”）を読み取る。そして、充電器１３Ｂの制御部４２は、識別情報Ｍ１と充電器１３Ｂ内の記憶部４３に記憶された識別情報Ｍ３（“１”）とを比較して、充電器１３Ｂと電池パック１２Ｂとが適合するか否かを判定する。ここで、電池パック１２Ｂに設定された識別情報Ｍ１は“２”であり、充電器１３Ｂに設定された識別情報Ｍ３は“１”であるため、制御部４２は充電器１３Ｂと電池パック１２Ｂとが適合しないと判定する。このため、制御部４２は、充電器１３Ｂから電池パック１２Ｂへの充電を許可しないようになっている。
【００３１】
次に、本実施形態の効果を記載する。
（１）電池パック１２は、電動工具本体１１及び充電器１３と通信可能な最小単位の識別情報Ｍ１が記憶される記憶部３３を有し、電動工具本体１１及び充電器１３は使用可能な電池パック１２の識別情報Ｍ２，Ｍ３が予め記憶される記憶部２４，４３を有する。電動工具本体１１及び充電器１３には、記憶部３３に記憶された識別情報Ｍ１が記憶部２４，４３に記憶された識別情報Ｍ２，Ｍ３と一致するか否かを判定する制御部２３，４２を備えた。このように、通信可能な最小単位の識別情報Ｍ１を用いて電池パック１２と電動工具本体１１との適合、及び、電池パック１２と充電器１３との適合を判定するため、適合判定に必要なデータを最小限のものとして、適合判定をより早く行なうことが可能となる。
【００３２】
（２）充電器１３は、記憶部３３に記憶された識別情報Ｍ１が記憶部４３に記憶された識別情報Ｍ３と一致すると判定された際に、電池パック１２への充電を許可する充電許可部としての制御部４２を備えた。このように電池パック１２と充電器１３との適合が行なわれた後に、素早く充電を許可することで、充電開始を素早くでき、結果として充電を早く完了させることができる。
【００３３】
（３）電動工具本体１１は、記憶部３３に記憶された識別情報Ｍ１が電動工具本体１１の記憶部２４に記憶された識別情報Ｍ２と一致すると判定された際に、電動工具本体１１への給電を許可する給電許可部としての制御部２３を備えた。このように電池パック１２と電動工具本体１１との適合が行なわれた後に、素早く給電を許可することで、モータ２０への給電開始を素早くでき、使用者による作業開始を素早く行なうことが可能となる。
【００３４】
なお、上記実施形態は、以下のように変更してもよい。
・上記実施形態では、充電器１３の制御部４２に充電許可部としての機能を備える構成としたが、これに限らず、電池パック１２の制御部３２に充電許可部としての機能を備える構成を採用してもよい。
【００３５】
・上記実施形態では、電動工具本体１１の制御部２３に給電許可部としての機能を備える構成としたが、これに限らず、電池パック１２の制御部３２に給電許可部としての機能を備える構成を採用してもよい。
【００３６】
・上記実施形態では、電動工具本体１１の制御部２３において電動工具本体１１と電池パック１２との適合を判定する構成としたが、電池パック１２の制御部３２において電動工具本体１１と電池パック１２との適合を判定する構成を採用してもよい。
【００３７】
・上記実施形態では、充電器１３の制御部４２において充電器１３と電池パック１２との適合を判定する構成としたが、電池パック１２の制御部３２において充電器１３と電池パック１２との適合を判定する構成を採用してもよい。
【００３８】
・上記実施形態では特に言及していないが、識別情報Ｍ１が設定された電池パックが、識別情報Ｍ２が設定されていない既存の電動工具本体や識別情報Ｍ３が設定されていない既存の充電器に装着された場合は“識別不可”とする。このとき、電池パックへの充電並びに電池パックからの給電をしないような構成が好ましい。
【００３９】
また、識別情報Ｍ２が設定された電動工具本体や識別情報Ｍ３が設定された充電器に、識別情報Ｍ１が設定されていない既存の電池パックが装着された場合は“識別不可”とする。このとき、識別情報Ｍ２が設定された電動工具本体や識別情報Ｍ３が設定された充電器において既存の電動工具本体や充電器と同様の動作を行うこととしてもよい。
【００４０】
・上記実施形態並びに各変形例は適宜組み合わせてもよい。
次に、上記実施形態及び別例から把握できる技術的思想を以下に追記する。
（付記１）
電池パックと、該電池パックと接続可能な充電器及び電動工具本体の各機器とを備えた電動工具システムであって、
前記電池パックは、前記各機器と通信可能な最小単位の識別情報が記憶される電池パック側記憶部を有し、前記各機器は使用可能な電池パックの識別情報が予め記憶される機器側記憶部を有し、
前記各機器の両方又は前記電池パックには、前記電池パック側記憶部に記憶された前記識別情報が前記機器側記憶部に記憶された識別情報と一致するか否かを判定する判定部を備えたことを特徴とする電動工具システム。
【００４１】
（付記２）
付記１に記載の電動工具システムにおいて、
前記充電器又は前記電池パックは、前記判定部によって前記電池パック側記憶部に記憶された前記識別情報が前記機器側記憶部に記憶された識別情報と一致すると判定された際に、前記電池パックへの充電を許可する充電許可部を備えたことを特徴とする電動工具システム。
【００４２】
（付記３）
付記１又は２に記載の電動工具システムにおいて、
前記電動工具本体又は前記電池パックは、前記判定部によって前記電池パック側記憶部に記憶された前記識別情報が前記電動工具本体の前記機器側記憶部に記憶された識別情報と一致すると判定された際に、前記電動工具本体への給電を許可する給電許可部を備えたことを特徴とする電動工具システム。
【符号の説明】
【００４３】
１１…電動工具本体、１１Ａ〜１１Ｃ…電動工具本体、１２…電池パック、１２Ａ，１２Ｂ…電池パック、１３…充電器、１３Ａ，１３Ｂ…充電器、２３…制御部（判定部及び給電許可部）、２４…記憶部（機器側記憶部）、３３…記憶部（電池パック側記憶部）、４２…制御部（判定部及び充電許可部）、４３…記憶部（機器側記憶部）。
【図１】
2016168634.tif 000003
【図２】
2016168634.tif 000004
【図３】
2016168634.tif 000005